(57)【要約】  眼内レンズを安定的に眼内に放出することを目的として、インジェクタは、眼内レンズ（７）を折り畳みつつ先端側から放出するために先端側に近づくに従って狭まるように形成された通路孔（７５）を有する先端チップ（３）を備え、通路孔（７５）が、通路孔（７５）の内壁により山折り態様に折り畳まれた眼内レンズ（７）の進行を阻止するストッパー突起（７１）を有する。
2018151141.tif 000002
【特許請求の範囲】
【請求項１】
筒状の本体の端面側に取り付けられて、眼内レンズを保持するレンズホルダと、
前記レンズホルダに保持された眼内レンズに当接して前記眼内レンズを押し出すプランジャと、
前記プランジャにより押し出された眼内レンズを折り畳みつつ先端側から放出するために前記先端側に近づくに従って狭まるように形成された通路孔を有する先端チップとを備え、
前記通路孔が、前記先端側に近づくに従って狭まる通路孔の内壁により山折り態様に折り畳まれた前記眼内レンズの進行を阻止するストッパー突起を有することを特徴とする眼内レンズ用インジェクタ。
【請求項２】
前記ストッパー突起は前記通路孔の軸方向に沿って形成され、
前記ストッパー突起が、前記軸方向に沿って形成されて前記内壁に対して緩やかに傾斜する緩斜面と、前記軸方向に沿って形成されて前記内壁に対して段差を構成する段差面とを有する請求項１に記載の眼内レンズ用インジェクタ。
【請求項３】
前記先端側に近づくに従って狭まる通路孔の内壁により前記眼内レンズを谷折り態様に折り畳むために前記通路孔の前記レンズホルダ側に突出するガイド突起をさらに備える請求項１又は２に記載の眼内レンズ用インジェクタ。
【請求項４】
前記先端チップの先端側に近づくに従ってオーバーラップするように折り畳まれた眼内レンズとの接触を回避するための切欠き部が前記プランジャの先端に形成される請求項１から３のいずれか一項に記載の眼内レンズ用インジェクタ。
【請求項５】
前記レンズホルダが、前記眼内レンズを載置する載置部と、
前記載置部を覆うように設けられた蓋部とを有し、
前記ガイド突起が、前記蓋部に形成される請求項３に記載の眼内レンズ用インジェクタ。
【請求項６】
前記レンズホルダが、前記眼内レンズを載置する載置面が形成された載置部を有し、
前記切欠き部が、前記プランジャの先端の前記載置面と反対側に形成される請求項４に記載の眼内レンズ用インジェクタ。
【発明の詳細な説明】
【技術分野】
【０００１】
本発明は、プランジャの押込み操作で眼内レンズを凹状に折り畳みつつ眼内レンズを放出する先端チップを備えた眼内レンズ用インジェクタに関する。
【背景技術】
【０００２】
眼内レンズを眼内に挿入するための眼内レンズ用インジェクタが従来技術として知られている（特許文献１）。この特許文献１に記載の眼内レンズ用インジェクタは、眼内レンズを保持するレンズホルダと、レンズホルダが取り付けられる装置本体と、装置本体に出退可能に内挿され、眼内レンズに当接して眼内レンズを押し出すプランジャと、装置本体に接続され、プランジャの押込み操作で眼内レンズを凹状に折り畳みつつ眼内レンズを放出する先端チップとを備える。この先端チップは、前方に進むに従って内径が徐々に小さくなる通路孔が形成されるノズル部と、この通路孔を通過した眼内レンズが放出される放出部とを有する。【０００３】
プランジャを装置本体に押し込むと、眼内レンズは、ノズル部に形成された通路孔を通過しながら凹状に折り畳まれる。そして、眼内レンズが折り畳まれた状態で放出部に到達する。放出部に到達した眼内レンズは、放出部の放出口から眼内に挿入される。
【先行技術文献】
【特許文献】
【０００４】
【特許文献１】日本国特許公開公報「特開2014-140711号公報」
【発明の概要】
【発明が解決しようとする課題】
【０００５】
上述のような従来技術では、前方に進むに従って内径が徐々に小さくなる通路孔の内壁に沿って眼内レンズが凹状に折りたたまれた状態で、放出部の放出口から眼内レンズが眼内に挿入される。この眼内レンズは、通路孔の内壁に沿ってさまざまな態様に折りたたまれることが可能であり、眼内レンズが放出部から安定的に眼内に挿入される観点から改善の余地があった。【０００６】
本発明の一態様は、眼内レンズを安定的に眼内に放出することができる眼内レンズ用インジェクタを実現することを目的とする。
【課題を解決するための手段】
【０００７】
上記の課題を解決するために、本発明の一態様に係る眼内レンズ用インジェクタは、筒状の本体の端面側に取り付けられて、眼内レンズを保持するレンズホルダと、前記レンズホルダに保持された眼内レンズに当接して前記眼内レンズを押し出すプランジャと、前記プランジャにより押し出された眼内レンズを折り畳みつつ先端側から放出するために前記先端側に近づくに従って狭まるように形成された通路孔を有する先端チップとを備え、前記通路孔が、前記先端側に近づくに従って狭まる通路孔の内壁により山折り態様に折り畳まれた前記眼内レンズの進行を阻止するストッパー突起を有することを特徴とする。
【発明の効果】
【０００８】
本発明の一態様によれば、眼内レンズを安定的に眼内に放出することができる眼内レンズ用インジェクタを実現することができるという効果を奏する。
【図面の簡単な説明】
【０００９】
【図１】（ａ）は実施形態に係る眼内レンズ用インジェクタの全体構成を示す斜視図であり、（ｂ）は上記眼内レンズ用インジェクタに設けられたレンズホルダの内部に保持される眼内レンズの斜視図である。
【図２】（ａ）は上記眼内レンズ用インジェクタに設けられたレンズホルダの要部を示す平面図であり、（ｂ）は上記レンズホルダの要部を示す斜視図であり、（ｃ）は（ａ）に示される断面ＧＧに沿った断面図である。
【図３】上記眼内レンズ用インジェクタに設けられた先端チップ及びレンズホルダを示す平面図である。
【図４】（ａ）は上記眼内レンズ用インジェクタに設けられた装置本体の出口によるプランジャの規制を説明するための平面断面図であり、（ｂ）は上記プランジャの規制を説明するための斜視図である。
【図５】（ａ）は上記レンズホルダによる上記プランジャの規制を説明するための斜視図であり、（ｂ）は上記プランジャの規制を説明するための断面図である。
【図６】（ａ）は上記レンズホルダによる上記プランジャの他の規制を説明するための斜視図であり、（ｂ）は上記プランジャの他の規制を説明するための断面図である。
【図７】（ａ）は上記先端チップに形成された通路孔の溝による上記プランジャの規制を説明するための平面断面図であり、（ｂ）〜（ｆ）は（ａ）にそれぞれ示される断面ＡＡから断面ＥＥに沿った断面図である。
【図８】（ａ）は上記通路孔の幅による上記プランジャの規制を説明するための平面断面図であり、（ｂ）は（ａ）に示される断面ＦＦに沿った断面図であり、（ｃ）は比較例に係る通路孔の幅による上記プランジャの規制を説明するための平面断面図である。
【図９】（ａ）は上記レンズホルダに設けられたガイド突起を説明するための平面図であり、（ｂ）は比較例に係るレンズホルダを説明するための平面図である。
【図１０】上記先端チップに設けられたストッパー突起を説明するための上記先端チップの軸方向に沿った断面図である。
【図１１】（ａ）は上記ストッパー突起を説明するための上記先端チップの軸方向に垂直な方向に沿った断面図であり、（ｂ）は比較例に係る先端チップに設けられた突起を説明するための上記軸方向に垂直な方向に沿った断面図である。
【図１２】（ａ）は上記プランジャの先端形状を示す平面図であり、（ｂ）は上記プランジャの先端形状を示す側面図であり、（ｃ）は上記プランジャの先端形状を示す他の斜視図である。
【図１３】（ａ）は比較例に係るプランジャの先端形状を示す平面図であり、（ｂ）は上記プランジャの先端形状を示す側面図であり、（ｃ）は上記プランジャの先端形状を示す他の斜視図である。
【発明を実施するための形態】
【００１０】
以下、本発明の実施の形態について、詳細に説明する。
【００１１】
（眼内レンズ用インジェクタ１の全体構成）
図１（ａ）は実施形態に係る眼内レンズ用インジェクタ１（以下、単に、インジェクタ１と記す場合がある）の全体構成を示す斜視図であり、（ｂ）は眼内レンズ用インジェクタ１に設けられたレンズホルダ４の内部に保持される眼内レンズ７の斜視図である。図１に示されるように、インジェクタ１は、筒状の装置本体２と、先端チップ３と、眼内レンズ７を内部に保持するレンズホルダ４と、プランジャ５と、を備えている。先端チップ３は、装置本体２に接続されるノズル部３２と、ノズル部３２の前方側に設けられた放出部３１とを有している。また、レンズホルダ４は、装置本体２に取り付け可能となっている。また、プランジャ５は、棒状であり、装置本体２に内挿される構成となっている。
【００１２】
なお、ここでは、プランジャ５の軸芯方向を前後方向とする。また、図２（ｃ）に示されるＡＹ方向を上下方向とし、ＡＸ方向を左右方向とする。また、インジェクタ１の先端チップ３側を前方側とし、その反対側を後方側とする。
【００１３】
（眼内レンズ７）
ここで、眼内レンズ７は、レンズ部７ａと、前方支持部７ｂと、後方支持部７ｃとを備えている。レンズ部７ａは、眼内挿入後に水晶体として機能するレンズ部分である。前方支持部７ｂ及び後方支持部７ｃは、レンズ部７ａ側面から曲線状に延び出るように形成され、眼内挿入後にレンズ部７ａを眼内で支持する機能を有する。前方支持部７ｂ及び後方支持部７ｃは、レンズ部７ａの中心を対称中心とした点対称の位置関係となるように配置されている。これらレンズ部７ａ、前方支持部７ｂ、及び後方支持部７ｃは、弾性を有する材質であり、変形可能に形成されている。
【００１４】
本実施形態では、レンズ部７ａ、前方支持部７ｂ及び後方支持部７ｃが一体的に成形されたシングルピース型を一例として説明する。しかしながら、本発明はこれに限定されない。レンズ部７ａ、前方支持部７ｂ及び後方支持部７ｃが、それぞれ異なる部材で構成されるスリーピース型の眼内レンズに対しても本発明を適用することができる。
【００１５】
（レンズホルダ４のプランジャガイド７９）
図２（ａ）は眼内レンズ用インジェクタ１に設けられたレンズホルダ４の要部を示す平面図であり、（ｂ）はレンズホルダ４の要部を示す斜視図であり、（ｃ）は（ａ）に示される断面ＧＧに沿った断面図である。
【００１６】
装置本体２は、前方に先端チップ３及びレンズホルダ４が係合される底部２１（図２（ｃ））と、前端の外面に術者が把持可能な複数の環状突起部２２と、後端の外面に術者が指を掛けて保持する鍔状の保持部２３とを有している。装置本体２は、耐衝撃性を有するポリカーボネート等の樹脂を用いて形成される。
【００１７】
なお、環状突起部２２及び保持部２３は、必要とされる機能を発揮できるものであれば、どのような形状であってもよい。例えば、保持部２３を鍔状ではなく指を掛けることが可能な突起等により構成してもよい。
【００１８】
術者は、片方の手でプランジャ５を押し込みながら、もう片方の手で環状突起部２２を把持して、眼内レンズ７を前方支持部７ｂ、レンズ部７ａ、後方支持部７ｃの順番で、患者の眼内に放出する。環状突起部２２を設けることにより、術者がインジェクタ１を把持し易くなり、インジェクタ１の操作性を高めることができる。
【００１９】
レンズホルダ４は、眼内レンズ７を載置する載置面４１ａが形成された底部４１と、底部４１に対して開閉可能に設けられた蓋部４２とを有する。図２（ａ）（ｂ）（ｃ）は蓋部４２を省略して描いている。眼内レンズ７に当接して押し出すために装置本体２の通過孔を通り抜けるプランジャ５をガイドするために、プランジャ５の周面に左右方向からハの字状に当接する一対のプランジャガイド７９がレンズホルダ４の底部４１に形成されるとともに、当該プランジャ５の周面に下方向から当接するサポート突起８０が装置本体２の底部２１に突設される。
【００２０】
サポート突起８０により、眼内レンズ７に当接して押し出すために装置本体２の通過孔を通り抜けるプランジャ５の下方向に沿ったブレ、ぐらつきが抑制される。一対のプランジャガイド７９により、装置本体２の通過孔を通り抜けるプランジャ５の左右方向、左上方向、及び右上方向に沿ったブレ、ぐらつきが抑制される。プランジャ５の左右方向等に沿ったブレ、ぐらつきが発生すると、プランジャ５が眼内レンズ７に当接する位置が、眼内レンズ７の中心からずれる。このため、中心からずれた位置に当接されて押し出される眼内レンズ７が回転する。一対のプランジャガイド７９により、プランジャ５に当接されて押し出される眼内レンズ７の回転が抑制され、先端チップ３のノズル部３２（図１）で眼内レンズ７が好適に折り畳まれて放出部３１から放出される。
【００２１】
（装置本体２の通過孔８７）
図３は眼内レンズ用インジェクタ１に設けられた先端チップ３及びレンズホルダ４を示す平面図である。図４（ａ）は眼内レンズ用インジェクタ１に設けられた装置本体２の出口８８によるプランジャ５の規制を説明するための平面断面図であり、（ｂ）はプランジャ５の規制を説明するための斜視図である。
【００２２】
略筒状の装置本体２に軸方向に沿って形成された通過孔８７にプランジャ５が挿入される。当該通過孔８７の出口８８を通過したプランジャ５は、眼内レンズ７に当接して眼内レンズ７をレンズホルダ４から先端チップ３に押し出す。プランジャ５の左右方向の位置が、当該通過孔８７の出口８８の形状により規制される。当該通過孔８７の出口８８の形状は、プランジャ５の軸に垂直な断面形状よりも大きい直径を有する円形状である。当該通過孔８７の出口８８は図３に示される領域Ｒ１に配置される。
【００２３】
（レンズホルダ４の規制溝８１・８２）
図５（ａ）はレンズホルダ４によるプランジャ５の規制を説明するための斜視図であり、（ｂ）はプランジャ５の規制を説明するための断面図である。プランジャ５の左右方向及び下方向に沿ったブレ、ぐらつきを規制する規制溝８１が、レンズホルダ４の底部４１に前後方向に沿って形成される。レンズホルダ４の蓋部４２に、プランジャ５の左右方向及び上方向に沿ったブレ、ぐらつきを規制する規制溝８２が前後方向に沿って形成される。プランジャ５により押し出される眼内レンズ７は、底部４１に形成されたお椀状の凹部８４に載置されている。規制溝８１は上記凹部に繋がるように形成される。
【００２４】
蓋部４２を閉じると、装置本体２を通過したプランジャ５が、規制溝８２・８１により上下方向及び左右方向に規制される。規制溝８２・８１は図３に示される領域Ｒ２に配置される。
【００２５】
（レンズホルダ４の規制溝８３）
図６（ａ）はレンズホルダ４によるプランジャ５の他の規制を説明するための斜視図であり、（ｂ）はプランジャ５の他の規制を説明するための断面図である。プランジャ５の左右方向及び下方向に沿ったブレ、ぐらつきを規制する規制溝８３が、レンズホルダ４の底部４１の先端チップ３側に前後方向に沿って形成される。
【００２６】
蓋部４２を閉じると、底部４１の凹部８４を通過したプランジャ５が、規制溝８３により、下方向及び左右方向に規制される。規制溝８３は図３に示される領域Ｒ３に配置される。
【００２７】
（先端チップ３の規制溝８５）
図７（ａ）は先端チップ３に形成された通路孔７５の規制溝８５によるプランジャ５の規制を説明するための平面断面図であり、（ｂ）〜（ｆ）は（ａ）にそれぞれ示される断面ＡＡから断面ＥＥに沿った断面図である。先端チップ３は、プランジャ５により押し出された眼内レンズ７を折り畳みつつ先端側から放出するために、先端側に近づくに従って狭まるように形成された通路孔７５を有する。通路孔７５の下側の内壁に、レンズホルダ４を通過したプランジャ５を規制する規制溝８５が前後方向に形成される。規制溝８５は図３に示される領域Ｒ４に配置される。これにより、プランジャ５の下方向及び左右方向に沿ったブレ、ぐらつきが規制される。
【００２８】
（通路孔７５の幅）
図８（ａ）は通路孔７５の幅によるプランジャ５の規制を説明するための平面断面図であり、（ｂ）は（ａ）に示される断面ＦＦに沿った断面図であり、（ｃ）は比較例に係る通路孔の幅による上記プランジャの規制を説明するための平面断面図である。通路孔７５は、ノズル部３２の先端側に近づくに従って、まず、左右方向の寸法が小さくなり、その後、上下方向の寸法が小さくなるように形成される。このため、ノズル部３２の先端方向に向かって通路孔７５を進行するプランジャ５の左右方向のブレ、ぐらつきが、プランジャ５が通路孔７５に進入した後、速やかに規制される。
【００２９】
（レンズホルダ４のガイド突起７４）
図９（ａ）はレンズホルダ４に設けられたガイド突起７４を説明するための平面図であり、（ｂ）は比較例に係るレンズホルダ９４を説明するための平面図である。レンズホルダ４の蓋部４２の先端チップ３側には、先端側に近づくに従って狭まる通路孔７５の内壁により眼内レンズ７を谷折り態様に折り畳むためのガイド突起７４が形成される。
【００３０】
蓋部４２を閉じると、プランジャ５によりレンズホルダ４から通路孔７５に押し出された眼内レンズ７は、折り畳まれ始める通路孔７５の入口において上側から下方向に向かって突出するガイド突起７４により誘導され、先端側に近づくに従って狭まる通路孔７５の内壁に沿って下向きに凸となるように湾曲する谷折り態様に折り畳まれる。このように、ガイド突起７４が障害物として眼内レンズ７に作用することにより、眼内レンズ７が通路孔７５の内壁に沿って上向きに凸となるように湾曲する山折り態様に折り畳まれることが防止される。従って、眼内レンズ７は常に一定の態様に折り畳まれる。眼内レンズ７は通常、放出部３１から前方支持部７ｂが左向きに放出される必要がある。しかしながら、山折り態様に折り畳まれると、逆に、前方支持部７ｂが右向きになって眼内レンズ７が放出部３１から放出されてしまうという問題がある。
【００３１】
図９（ｂ）に示す比較例に係るレンズホルダ９４にはガイド突起７４が設けられていない。このため、眼内レンズ７は山折り態様に折り畳まれ得る。図９（ａ）に示すようにガイド突起７４を設けることにより、眼内レンズ７が常に一定の態様に折り畳まれるので、眼内レンズ７が常に安定した挙動で放出部３１から放出される。
【００３２】
上側から下方向に向かって突出するガイド突起７４の先端には、プランジャ５の外周面に沿って形成された凹部が設けられる。このため、ガイド突起７４は、眼内レンズ７の折り畳み態様を制御しながら、プランジャ５の上方向及び左右方向に沿ったブレ、ぐらつきを規制する。
【００３３】
なお、本実施形態では、眼内レンズ７を谷折り態様に折り畳むために、通路孔７５の入口において上側から下方向に向かって突出するガイド突起７４を設けた例を説明したが、本発明はこれに限定されない。眼内レンズ７は常に一定の態様に折り畳まれればよい。従って、例えば、眼内レンズ７を山折り態様に折り畳むために、通路孔７５の入口において下側から上方向に向かって突出するガイド突起を設けてもよい。
【００３４】
（先端チップ３のストッパー突起７１）
図１０は先端チップ３に設けられたストッパー突起７１を説明するための先端チップ３の軸方向に沿った断面図である。プランジャ５により押し出された眼内レンズ７を折り畳みつつ先端側の放出部３１から放出するために放出部３１に近づくに従って狭まるように形成された通路孔７５は、通路孔７５の内壁により山折り態様に折り畳まれた眼内レンズ７の進行を阻止するストッパー突起７１を有する。このストッパー突起７１は、通路孔７５の上側の内壁に前後方向に沿って形成される。ストッパー突起７１は、通路孔７５の入口と出口との間の中間地点から出口に渡って形成される。
【００３５】
通路孔７５に押し出された眼内レンズ７が谷折り態様に折り畳まれると、眼内レンズ７はプランジャ５により押されて通路孔７５を通過し、放出部３１から放出される。しかしながら、通路孔７５に押し出された眼内レンズ７が通路孔７５の入口で山折り態様に折り畳まれると、プランジャ５により押された眼内レンズ７はストッパー突起７１にぶつかって進行を阻止される。このように、山折り態様に折り畳まれた眼内レンズ７の放出部３１からの放出が防止される。この結果、眼内レンズ７が常に谷折り態様に折り畳まれた状態で放出部３１から放出される。
【００３６】
なお、本実施形態では、山折り態様に折り畳まれた眼内レンズ７の進行を阻止するストッパー突起７１を設けた例を説明したが、本発明はこれに限定されない。眼内レンズ７は常に一定の態様に折り畳まれればよい。従って、例えば、谷折り態様に折り畳まれた眼内レンズ７の進行を阻止するストッパー突起を設けてもよい。
【００３７】
図１１（ａ）はストッパー突起７１を説明するための先端チップ３の軸方向に垂直な方向に沿った断面図であり、（ｂ）は比較例に係る先端チップ９３に設けられた突起９１を説明するための上記軸方向に垂直な方向に沿った断面図である。
【００３８】
ストッパー突起７１は、前後方向に沿って形成されて通路孔７５の内壁に対して緩やかに傾斜する緩斜面７２と、前後方向に沿って形成されて通路孔７５の内壁に対して段差を構成する段差面７３とを有する。眼内レンズ７は、その一端側と他端側とがオーバーラップする態様で通路孔７５の内壁に沿って折り畳まれる。眼内レンズ７が折り畳まれる態様には、一端側が他端側の内側に巻き込まれるように畳まれる一端内側態様と、逆に他端側が一端側の内側に巻き込まれるように畳まれる他端内側態様とがある。眼内レンズ７は、常に一端内側態様で放出されるか、又は、常に他端内側態様で放出される必要がある。しかしながら、特に、眼内レンズ７が、厚みが薄いタイプであるときに、意図しない態様で折り畳まれる場合がある。このため、放出される眼内レンズ７の挙動が変わってしまうという問題がある。
【００３９】
ストッパー突起７１に緩斜面７２と段差面７３とを形成することにより、緩斜面７２側から折り畳まれる眼内レンズ７の一端側が、段差面７３側から折り畳まれる眼内レンズ７の他端側の内側に巻かれるように、一端側と他端側とがオーバーラップして眼内レンズ７が折り畳まれる。このため、常に一端内側態様で眼内レンズ７が折り畳まれる。この結果、放出される眼内レンズ７の挙動が常に一定になる。
【００４０】
図１１（ｂ）に示される比較例に係る先端チップ９３の通路孔７５にも突起９１が形成されている。しかしながら、この突起９１は、ストッパー突起７１とは異なり、通路孔７５の入口に配置されており、プランジャ５の上方向に沿ったブレ、ぐらつきを抑制するために設けられている。
【００４１】
（プランジャ５の先端の切欠き部７６）
図１２（ａ）はプランジャ５の先端形状を示す平面図であり、（ｂ）はプランジャ５の先端形状を示す側面図であり、（ｃ）はプランジャ５の先端形状を示す他の斜視図である。プランジャ５の先端には、先端チップ３の通路孔７５の先端側に近づくに従ってオーバーラップするように谷折り態様に折り畳まれた眼内レンズ７との接触を回避するための一対の切欠き部７６が形成される。この一対の切欠き部７６は、プランジャ５の先端の上側の左部及び右部を切り欠いており、中央部は残されている。
【００４２】
図１３（ａ）は比較例に係るプランジャ９５の先端形状を示す平面図であり、（ｂ）はプランジャ９５の先端形状を示す側面図であり、（ｃ）はプランジャ９５の先端形状を示す他の斜視図である。
【００４３】
プランジャ９５の先端の上部には切欠きが形成されていない。このような構成では、以下の問題がある。眼内レンズ７が先端チップ３の通路孔７５により折り畳まれて、眼内レンズ７の一端側と他端側とがオーバーラップすると、オーバーラップして内側に巻き込まれた眼内レンズ７の一端側又は他端側がプランジャ９５に接近してきて、プランジャ９５が眼内レンズ７と接触するおそれがある。
【００４４】
切欠き部７６は、オーバーラップして内側に巻き込まれた眼内レンズ７の一端側又は他端側が接触するおそれのある個所を切り欠いて形成される。従って、切欠き部７６を形成することにより、オーバーラップして内側に巻き込まれた眼内レンズ７の一端側又は他端側がプランジャ５と接触する事態を防止することができる。
【００４５】
〔まとめ〕
上記の課題を解決するために、本発明の一態様に係る眼内レンズ用インジェクタは、筒状の本体の端面側に取り付けられて、眼内レンズを保持するレンズホルダと、前記レンズホルダに保持された眼内レンズに当接して前記眼内レンズを押し出すプランジャと、前記プランジャにより押し出された眼内レンズを折り畳みつつ先端側から放出するために前記先端側に近づくに従って狭まるように形成された通路孔を有する先端チップとを備え、前記通路孔が、前記先端側に近づくに従って狭まる通路孔の内壁により山折り態様に折り畳まれた前記眼内レンズの進行を阻止するストッパー突起を有する。
【００４６】
これにより、前記先端側に近づくに従って狭まる通路孔の内壁により山折り態様に折り畳まれた前記眼内レンズの進行が阻止される。このため、谷折り態様に折り畳まれた眼内レンズのみが、先端チップの通路孔の先端側から放出される。従って、眼内レンズが放出される方向が常に一定となる。この結果、眼内レンズを安定的に眼内に放出することができる。
【００４７】
本発明の一態様に係る眼内レンズ用インジェクタでは、前記ストッパー突起は前記通路孔の軸方向に沿って形成され、前記ストッパー突起が、前記軸方向に沿って形成されて前記内壁に対して緩やかに傾斜する緩斜面と、前記軸方向に沿って形成されて前記内壁に対して段差を構成する段差面とを有することが好ましい。
【００４８】
この構成により、緩斜面側から折り畳まれる眼内レンズの一端側が、段差面側から折り畳まれる眼内レンズの他端側の内側に巻かれるように、一端側と他端側とがオーバーラップして眼内レンズが折り畳まれる。このため、常に一端内側態様で眼内レンズが折り畳まれる。この結果、放出される眼内レンズの挙動が常に一定になる。
【００４９】
本発明の一態様に係る眼内レンズ用インジェクタでは、前記先端側に近づくに従って狭まる通路孔の内壁により前記眼内レンズを谷折り態様に折り畳むために前記通路孔の前記レンズホルダ側に突出するガイド突起をさらに備えることが好ましい。
【００５０】
この構成により、眼内レンズはガイド突起により誘導され、通路孔の内壁に沿って下向きに凸となるように湾曲する谷折り態様に折り畳まれる。このように、ガイド突起が障害物として眼内レンズに作用することにより、眼内レンズが通路孔の内壁に沿って上向きに凸となるように湾曲する山折り態様に折り畳まれることが防止される。従って、眼内レンズが常に一定の態様に折り畳まれる。
【００５１】
本発明の一態様に係る眼内レンズ用インジェクタでは、前記先端チップの先端側に近づくに従ってオーバーラップするように折り畳まれた眼内レンズとの接触を回避するための切欠き部が前記プランジャの先端に形成されることが好ましい。
【００５２】
この構成によれば、オーバーラップするように折り畳まれた眼内レンズに過度な負荷を与えずに当該眼内レンズをプランジャにより好適に押し出すことができる。
【００５３】
本発明の一態様に係る眼内レンズ用インジェクタでは、前記レンズホルダが、前記眼内レンズを載置する載置部と、前記載置部を覆うように設けられた蓋部とを有し、前記ガイド突起が、前記蓋部に形成されることが好ましい。
【００５４】
この構成によれば、簡素な構成により、眼内レンズを常に一定の態様に折り畳むことができる。
【００５５】
本発明の一態様に係る眼内レンズ用インジェクタでは、前記レンズホルダが、前記眼内レンズを載置する載置面が形成された載置部を有し、前記切欠き部が、前記プランジャの先端の前記載置面と反対側に形成されることが好ましい。
【００５６】
この構成によれば、オーバーラップするように谷折り態様に折り畳まれた眼内レンズに過度な負荷を与えずに当該眼内レンズをプランジャにより好適に押し出すことができる。
【００５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５８】
１  インジェクタ（眼内レンズ用インジェクタ）
３  先端チップ
４  レンズホルダ
２  装置本体（本体）
５  プランジャ
７  眼内レンズ
４１  底部（載置部）
４１ａ  載置面
４２  蓋部
７１  ストッパー突起
７２  緩斜面
７３  段差面
７４  ガイド突起
７５  通路孔
７６  切欠き部
【図１】
2018151141.tif 000003
【図２】
2018151141.tif 000004
【図３】
2018151141.tif 000005
【図４】
2018151141.tif 000006
【図５】
2018151141.tif 000007
【図６】
2018151141.tif 000008
【図７】
2018151141.tif 000009
【図８】
2018151141.tif 000010
【図９】
2018151141.tif 000011
【図１０】
2018151141.tif 000012
【図１１】
2018151141.tif 000013
【図１２】
2018151141.tif 000014
【図１３】
2018151141.tif 000015
【国際調査報告】
2018151141.tif 000016
2018151141.tif 000017